【手続補正書】
【提出日】平成25年10月24日(2013.10.24)
【手続補正１】
【補正対象書類名】特許請求の範囲
【補正対象項目名】全文
【補正方法】変更
【補正の内容】
【特許請求の範囲】
【請求項１】
二つ以上のローラと、ローラに張力がかかった状態で掛け渡されたベルトと、ローラを駆動させてベルトの回転中に生じたベルトの片寄りを矯正する矯正手段と、ベルトの張力を解除または復帰する作動手段とを有し、
前記ローラの一つは制御ローラとし、
前記矯正手段は、前記制御ローラの一端に設けられた検出部と、該検出部により検出されたベルトの偏りに対応して前記制御ローラの軸線を変位させる可動部とを備え、
前記作動手段は、前記ベルトの位置をシフトさせてベルトの張力を解除または復帰させる駆動部と、該駆動部を付勢する付勢部とを備え、
前記可動部は、前記駆動部を支持する前記制御ローラの固定軸に軸通させるとともに、前記駆動部は、装置のフレームに取り付けられた取付部材に取り付け、
前記取付部材に、前記矯正手段と前記作動手段とを設けることを特徴とするベルト駆動装置。
【請求項２】
前記可動部は、外方に向かって径が徐々に大きくなるように形成された補助ローラと、該補助ローラを介して、前記制御ローラの支持軸に軸通された調整ローラとを有し、
前記駆動部は、前記制御ローラの支持軸を支持する支持部材と、前記取付部材に設けられるとともに該支持部材に収容され前記制御ローラの支持軸の支持位置をシフトさせる移動部材とを備え、
前記支持軸を支持する前記支持部材には、前記制御ローラの軸線のシフトによって生じる前記調整ローラの移動を受ける受部を備えることを特徴とする請求項１記載のベルト駆動装置。
【手続補正２】
【補正対象書類名】明細書
【補正対象項目名】０００５
【補正方法】変更
【補正の内容】
【０００５】
二つ以上のローラと、ローラに張力がかかった状態で掛け渡されたベルトと、ローラを駆動させてベルトの回転中に生じたベルトの片寄りを矯正する矯正手段と、ベルトの張力を解除または復帰する作動手段とを有し、ローラの一つは制御ローラとし、矯正手段は、制御ローラの一端に設けられた検出部と、該検出部により検出されたベルトの偏りに対応して制御ローラの軸線を変位させる可動部とを備え、作動手段は、ベルトの位置をシフトさせてベルトの張力を解除または復帰させる駆動部と、該駆動部を付勢する付勢部とを備え、可動部は、駆動部を支持する制御ローラの固定軸に軸通させるとともに、駆動部は、装置のフレームに取り付けられた取付部材に取り付け、取付部材に、矯正手段と作動手段とを設けることを特徴とする。
【手続補正３】
【補正対象書類名】明細書
【補正対象項目名】０００６
【補正方法】削除
【補正の内容】
【手続補正４】
【補正対象書類名】明細書
【補正対象項目名】０００７
【補正方法】変更
【補正の内容】
【０００７】
さらに、請求項２記載の発明においては、可動部は、外方に向かって径が徐々に大きくなるように形成された補助ローラと、該補助ローラを介して、制御ローラの支持軸に軸通された調整ローラとを有し、駆動部は、制御ローラの支持軸を支持する支持部材と、取付部材に設けられるとともに該支持部材に収容され制御ローラの支持軸の支持位置をシフトさせる移動部材とを備え、支持軸を支持する支持部材には、制御ローラの軸線のシフトによって生じる調整ローラの移動を受ける受部を備えることを特徴とする。
【手続補正５】
【補正対象書類名】明細書
【補正対象項目名】０００８
【補正方法】変更
【補正の内容】
【０００８】
請求項１は、二つ以上のローラと、ローラに張力がかかった状態で掛け渡されたベルトと、ローラを駆動させてベルトの回転中に生じたベルトの片寄りを矯正する矯正手段と、ベルトの張力を解除または復帰する作動手段とを有し、ローラの一つは制御ローラとし、矯正手段は、制御ローラの一端に設けられた検出部と、該検出部により検出されたベルトの偏りに対応して制御ローラの軸線を変位させる可動部とを備え、作動手段は、ベルトの位置をシフトさせてベルトの張力を解除または復帰させる駆動部と、該駆動部を付勢する付勢部とを備え、可動部は、駆動部に支持される制御ローラの固定軸に軸通されるとともに、駆動部は、フレームに取り付けられた取付部材に取り付け、一つの取付部材に、矯正手段と作動手段とを設けることにより、構成を簡素化して、装置の小型化と製造原価の削減を行うことができる。
【手続補正６】
【補正対象書類名】明細書
【補正対象項目名】０００９
【補正方法】削除
【補正の内容】
【手続補正７】
【補正対象書類名】明細書
【補正対象項目名】００１０
【補正方法】変更
【補正の内容】
【００１０】
請求項２は、外方に向かって径が徐々に大きくなるように形成された補助ローラと、該補助ローラを介して、前記検出ローラの支持軸に軸通された調整ローラとにより構成し、駆動部を、検出ローラの支持軸を支持する支持部材と、取付部材に設けられるとともに該支持部材に収容され制御ローラの支持軸の支持位置をシフトさせる移動部材とにより構成するとともに、支持軸を支持する支持部材に、検出ローラの軸線の変位によって生じる調整ローラの移動を受ける受部を備えることにより、請求項１の構成を具体化して、請求項１の効果を得ることができる。
【手続補正８】
【補正対象書類名】明細書
【補正対象項目名】００１８
【補正方法】変更
【補正の内容】
【００１８】
頂部ローラ１１は、ベルト２０を回転させる駆動源（図示せず）が接続されている。さらに、頂部ローラ１１と対向する位置には転写部２が配置されている。制御ローラ５０は、その一端に、後に述べる矯正手段３０が設けられている。
【手続補正９】
【補正対象書類名】明細書
【補正対象項目名】００２１
【補正方法】変更
【補正の内容】
【００２１】
可動部３２は、補助ローラ６１がベルト２０との接触により回転した時に、その作用により補助ローラ６１をベルト２０の移動方向前に移動させるものであり、具体的には調整ローラ６２である。部品点数を減らすために調整ローラ６２は補助ローラ６１とは一体的に形成されている。また、その周縁はねじ山６３が形成されている。このねじ山６３は、後に述べる駆動部７０に設けられたねじ部（図示せず）に噛み合って接するようになっている。
【手続補正１０】
【補正対象書類名】明細書
【補正対象項目名】００２３
【補正方法】変更
【補正の内容】
【００２３】
支持部材７１は、制御ローラ５０の支持軸５１を支持するものであり、薄板状の部材からなる。さらに、支持部材７１は、後に述べる移動部材７２を構成する一部が収容されるように屈曲して収容部４５が形成されている。
【手続補正１１】
【補正対象書類名】明細書
【補正対象項目名】００２７
【補正方法】変更
【補正の内容】
【００２７】
さらに、調整ねじと固定軸１００の凹部５２との間に作用する弾性体４６の付勢力を調整して、矯正手段３０側にある制御ローラ５０の支持軸５１を、凹部５２が設けられた支持軸５１と反対側の支持軸（図示せず）を支点として、軸線方向に水平に移動させることにより、既に所定位置に支持されている頂部ローラ１１、従属ローラ１２の各軸線と、平行となるように微調整することができる。
【手続補正１２】
【補正対象書類名】明細書
【補正対象項目名】００２８
【補正方法】変更
【補正の内容】
【００２８】
移動部材７２は、制御ローラ５０の支持軸５１の支持位置をシフトさせて、ベルト２０の張力の解除および復帰を行うものである。移動部材７２は、収容部４５に収納された一対のピニオンギア４７と後に述べる取付部材９０に設けられたラック９２とからなる。各ピニオンギア４７は、互いに噛み合った状態で、収容部４５に軸支されている。また、収容部４５には、収容部４５自体が所定の方向にシフトされるようにガイド溝４８が設けられている。
【手続補正１３】
【補正対象書類名】明細書
【補正対象項目名】００２９
【補正方法】変更
【補正の内容】
【００２９】
取付部材９０は、図１に示す装置のフレーム（図示せず）に取り付けられるものである。取付部材９０は、移動部材７２と同様に薄板状の部材からなり、Ｕ字状の形状をなしている。競り上がり部分は、各ピニオンギア４７が噛み合うラック９２が形成されている。
【手続補正１４】
【補正対象書類名】明細書
【補正対象項目名】００３５
【補正方法】変更
【補正の内容】
【００３５】
この動作により、制御ローラ５０は、凹部５２が設けられた支持軸５１と反対側の支持軸（図示せず）を支点として、下方に傾きベルト２０の張力は解除される。この時、付勢部８０の付勢力の作用が上方に働くため、制御ローラ５０の自重により急激に落下して装置のフレームにぶつかることはない。
【手続補正１５】
【補正対象書類名】図面
【補正対象項目名】図２
【補正方法】変更
【補正の内容】
【図２】
2012091907.tif 000001